(57)【特許請求の範囲】
【請求項１】
三角柱の稜線部分に配置された細長いコンクリート枠材の一体化された集合により三角柱枠を形成した土木構造物用三角柱枠型コンクリートブロックにおいて、三角柱の矩形の枠面の一面ないし二面に枠材と一体化された格子が設けられ、当該格子の複数の桟の間にはブロック内部と外部とを連通する開口が存在していることを特徴とする、三角柱枠型コンクリートブロック。
【請求項２】
格子が枠材から斜めに延びる傾斜桟を備えていることを特徴とする、請求項１記載の三角柱枠型コンクリートブロック。
【請求項３】
少なくとも１個が枠内に格子を有し、少なくとも１個が枠内に格子を有していない３個の矩形枠型コンクリートブロックを各枠の長辺部分で連結して三角柱枠を形成した、請求項１または２記載の三角柱枠型コンクリートブロック。
【発明の詳細な説明】
【０００１】
【発明の属する技術分野】
この発明は、漁礁、護岸壁ないし擁壁、道路や鉄道の路床などの土木構造物を構築するのに用いる大型のコンクリートブロックに関するもので、三角柱状の枠型のコンクリートブロックに関するものである。
【０００２】
【従来の技術】
三角柱の稜線部分に配置された梁状のコンクリート材の一体化された集合によって形成された三角柱枠型コンクリートブロックは、この出願の出願人が特開平９−２１７３０４号により提案している。提案されたコンクリートブロックは、重機械を用いて路床や擁壁を能率良く構築するのに適した大型のもので、三角柱の枠型のブロックを積み重ねることにより、内部空間が開放された土木構造物を構築する。
【０００３】
この構造で路床などを構築したときは、地表に線状に延びる路床によって左右に分断された地域が、三角柱枠型コンクリートブロックによって形成される開放された内部空間を介して連通されるので、当該地域が有していた既存の環境ないし生態系を破壊する危険が少ない。
【０００４】
【発明が解決しようとする課題】
上記の三角柱枠型コンクリートブロックを提案した後、当該ブロックの有利性を検証する研究が本願出願人らにより引き続き行われてきた。その過程において、三角柱枠型コンクリートブロックを、護岸壁や擁壁の構築に用いることの有利性が見出され、またその適用のために、従来の三角柱枠型コンクリートブロックに加えられるべき種々の改良案の提案と検討が行われた。
【０００５】
この発明は、上記の提案ないし検討に基づく研究の結果なされたもので、自然環境に対する高い融合性を備えた強固で安定した護岸壁及び擁壁を、経済的かつ能率的に構築することが可能で、かつ漁礁等を構築するのにも用いることができる、改良された三角柱枠型コンクリートブロックを提供すること課題としている。
【０００６】
【課題を解決するための手段】
この発明では、三角柱枠型コンクリートブロックの周面の一面ないし二面、すなわち矩形枠状を呈する面の一面ないし二面に、枠材と一体化された格子を設けることによって、上記課題を解決している。格子は、複数の桟によって形成され、当該複数の桟の間にはブロック内部と外部とを連通する開口が存在している。格子は、嵌め込み構造としてもよいが、製造上は枠と一体に成形する構造が適している。格子の目の粗さは、製造上及びブロックの内部に充填する充填材の粒度などを考慮して決定すればよい。必要があれば、擁壁などを構築する時に格子の背面にネットや透水性マットなどを添設することで、内部の充填材が格子の目から流出するのを防止できる。
【０００７】
三角柱枠型コンクリートブロックは、辺の長さを２ないし３ｍ、あるいはそれ以上の長さの大型のブロックとして、重機械を用いて各種の土木構造物を構築するときに大きな有利性が発揮される。そのため、従来の三角柱枠型コンクリートブロックでは、ブロックの各面に相当に大きな開口が形成されている。この開口の一面ないし二面に格子を枠材と一体に設けることにより、当該格子を設けた面を通してのブロック内部と外部との遮蔽性を必要に応じて高めることができ、三角柱枠型コンクリートブロックが有している自然環境との融和性を損なうことなく、漁礁、護岸壁、擁壁などに用いたときのより好ましい機能を実現できる。
【０００８】
この発明の請求項１は、三角柱の稜線部分に配置された細長いコンクリート枠材の一体化された集合により三角柱枠を形成した土木構造物用三角柱枠型コンクリートブロックにおいて、三角柱の矩形の枠面の一面ないし二面に枠材と一体化された格子が設けられている三角柱枠型コンクリートブロックを提供するものである。
【０００９】
また、この出願の請求項２は、上記請求項１の三角柱枠型コンクリートブロックにおいて、格子が枠材から斜めに延びる傾斜桟を備えているコンクリートブロックを提供するものである。
【００１０】
請求項３の発明は、製造方法を考慮した上記請求項１または２の三角柱枠型コンクリートブロックを提案するもので、少なくとも１個が枠内に格子を有し、少なくとも１個が枠内に格子を有していない３個の矩形枠型コンクリートブロックを各枠の長辺部分で連結した構造を備えていることを特徴とするものである。
【００１１】
なお、矩形枠部分に設ける格子に枠材から斜めに延びる桟を含ませることにより、矩形枠が菱形に変形する方向の外力に対するブロックの強度を高めることができ、三角形の持つ変形に対する高い剛性を三角柱枠型コンクリートブロックの矩形枠枠状の面にも付与することができる。
【００１２】
また、請求項３の三角柱枠型コンクリートブロックは、二次元的な矩形枠を組み合わせて三角柱枠を形成するので、ブロックを成形するための成形型の構造が簡単になるとともに、ブロックの成形作業も容易になり、従ってこの発明に係る三角柱枠型コンクリートブロックを安価に提供する手段として有用である。
【００１３】
【発明の実施の形態】
以下、図面に示す実施例を参照して、この出願の発明に係るコンクリートブロック及び当該コンクリートブロックによって構築される土木構造物の例を説明する。図１はこの発明のコンクリートブロックの一実施例を示す斜視図で、正三角柱枠の周面に形成される矩形枠の１個に枠材４に対して４５度傾斜した複数の桟５で形成される格子を一体成形により設けた例を示したものである。
【００１４】
図１の三角柱枠型コンクリートブロック１は、図２、３に示す格子付矩形枠ブロック２の１個と、図４に示す格子を有しない矩形枠ブロック３の２個とを、その長辺に沿って配置されたボルト孔６に挿通したボルトとナットにより締結して、組立てられたものである。締結用のボルト及びナットはステンレス材とし、矩形枠ブロック２、３相互の締結面７にはモルタルや接着剤を塗布し、またボルトの頭やナットは凹部に落し込んでモルタルや接着剤で覆うことにより、ボルトやナットに対する耐蝕性を高めている。
【００１５】
格子は、矩形枠の枠材４に対して４５度傾斜した複数の桟５で形成されている。矩形枠ブロック相互の締結面７は、矩形枠の面に対して３０度の傾斜角で設けられており、かつ３つの矩形枠の短辺及び長辺はそれぞれ等しく、従って３個の矩形枠を締結することにより正三角柱枠が形成され、その矩形の枠面の１個に格子が形成される。
【００１６】
図５は、図１の三角柱枠型コンクリートブロック１の複数個を用いて海底に形成された漁礁の一例を示したもので、格子５を設けた面を外向きにして３個のブロック１を一部積み重ねた状態で並べることにより、台形枠状の漁礁を形成したものである。この漁礁の外側を向く側面は格子を有しており、従って小型の魚が大型の魚に追われたときに、この格子の開口部を通って逃げることができる。このような漁礁を構築するとき、下に配置される２個のブロックの上方を向く２つの矩形枠面に格子を備えたものを用いれば、より隠蔽性に優れた漁礁とすることができる。また三角柱の小口面にも嵌め込み構造で格子を設けることができ、より高い隠蔽性を備えた漁礁とすることもできる。
【００１７】
図６は、図１のブロック１を格子５を設けた面を外向きにして並列に並べ、更に並列に設けたものの間に従来構造の（格子を有しない）三角柱枠型ブロック８を積み重ねて、内部空間に栗石や割石等を充填して消波堤を形成した例を示したものである。
【００１８】
また、図７は、図１のブロック１を格子５を設けた面を海ないし河川に向けて並べ、その背後に栗石や割石等を充填して、更にその上に同様な構造を積み重ねることによって、護岸壁を構築した例を示したものである。これらの構造の消波堤や護岸壁は、内部に外界と連通する多数の狭い空間が形成されるため、小型の動物及び植物のための豊富な住み処を提供できる。
【００１９】
図８ないし１０は、図１のブロックを用いて擁壁を構築した例を示したものである。擁壁の場合には、積み上げたブロックの内部に充填されるのは土砂であってもよい。割石や砕石を適宜用いることにより、擁壁の強度と自然環境との融和性とを両立させることもできる。擁壁面を形成する格子の隙間からの割石や土砂の流出は、それらの充填材の粒子径に応じて格子の背面に金属線材又は合成繊維製のネットや、吸出防止材などと呼ばれている繊維質の通水性のある目の細かいマットを添えることにより防止できる。
【００２０】
擁壁を構築するときは、上段の壁面を下段の壁面より後退させた階段状のものとすることもできるし、前述した護岸壁に示したように、下段のものと上段のものを同一面の同一勾配として積み上げてゆくこともできる。図８は、二段目を一段目から後退させて積み、三段目を二段目と同一面にして積んだ例である。
【００２１】
また、法面の傾斜角は必ずしもブロックの傾斜角に制限されるものではなく、図９に示した例では、上段のブロックを傾けて配置することにより、擁壁面の勾配が上段ほど急傾斜となる擁壁を構築している。
【００２２】
また、図１０に示した例では、図１のブロックを格子面を手前側にして手前側に３０度傾けて並べることにより、各段の擁壁面を垂直にし、その階段状になった段面に樹木を植えて緑化擁壁としている。
【００２３】
この発明のコンクリートブロックで構築された擁壁は、その擁壁面にブロック背後の土と連通する開口が存在しているため、この開口を通じて擁壁内と外界との連続性が保たれ、空気や水の流動と各種の小動物や植物の生育が可能で、より自然に融合した形態での崖面の保護を図ることができる。
【図面の簡単な説明】
【図１】ブロックの一実施例を示す斜視図
【図２】格子を設けた矩形枠ブロックの正面図
【図３】矩形枠ブロックの側面図
【図４】格子を有しない矩形枠ブロックの正面図
【図５】図１のブロックで漁礁を構築した例を示す斜視図
【図６】図１のブロックで消波堤を構築した例を示す斜視図
【図７】図１のブロックで護岸壁を構築した例を示す斜視図
【図８】図１のブロックで構築された擁壁の第一例を示す斜視図
【図９】同第二例を示す斜視図
【図１０】同第三例を示す斜視図
【符号の説明】
１  コンクリートブロック
４  枠材
５  桟
【図１】
0004226150.tif 000002
【図２】
0004226150.tif 000003
【図３】
0004226150.tif 000004
【図４】
0004226150.tif 000005
【図５】
0004226150.tif 000006
【図６】
0004226150.tif 000007
【図７】
0004226150.tif 000008
【図８】
0004226150.tif 000009
【図９】
0004226150.tif 000010
【図１０】
0004226150.tif 000011